(57)【要約】【課題】意匠性が良好な壁付用リモートコントローラを提供する。【解決手段】リモートコントローラ１０は、前面側に使用者が操作する操作面１２Ａを有した前面部１３と、前面部１３の後面側に連続して設けられ、壁面Ｗに取り付けられる取付け面１１Ｊを有した取付け部１１Ｈとを備え、前面部１３の外周縁が取付け部１１Ｈの外周縁よりも外側に位置し、壁面Ｗに取り付けた状態で操作面１２Ａに直交する任意の断面において、前面部１３の後面の外周縁と取付け面１１Ｊの外周縁との壁面Ｗに沿った方向の距離Ｘ１が前面部１３の後面の外周縁と取付け面１１Ｊの外周縁との壁面Ｗに直交する方向の距離Ｙ１以上である。【選択図】図１
2019139958.tif 000002
【特許請求の範囲】
【請求項１】
前面側に使用者が操作する操作面を有した前面部と、
前記前面部の後面側に連続して設けられ、壁面に取り付けられる取付け面を有した取付け部と、
を備え、
前記前面部の外周縁が前記取付け部の外周縁よりも外側に位置した壁付用リモートコントローラであって、
前記壁面に取り付けた状態で前記操作面に直交する任意の断面において、
前記前面部の後面の外周縁と前記取付け面の外周縁との前記壁面に沿った方向の距離が、前記前面部の後面の外周縁と前記取付け面の外周縁との前記壁面に直交する方向の距離以上であることを特徴とする壁付用リモートコントローラ。
【請求項２】
前記壁面に取り付けた状態で前記操作面に直交する任意の断面において、
前記取付け部は、前記前面部の後面の外周縁と前記取付け面の外周縁とを結んだ架空の直線より外側に食み出していないことを特徴とする請求項１に記載の壁付用リモートコントローラ。
【請求項３】
前記壁面に取り付けた状態で前記操作面に直交する任意の断面において、
前記前面部の前記壁面に直交する方向の厚み寸法が、前記取付け部の前記壁面に直行する方向の厚み寸法以下であることを特徴とする請求項１又は２に記載の壁付用リモートコントローラ。
【請求項４】
前記前面部の外周縁は、前記前面部の後面側から前記前面側に向けて外側に傾斜していることを特徴とする請求項１乃至３のいずれか１項に記載の壁付用リモートコントローラ。
【発明の詳細な説明】
【技術分野】
【０００１】
本発明は壁付用リモートコントローラに関するものである。
【背景技術】
【０００２】
特許文献１には、壁面に取り付けられた壁付用リモートコントローラが開示されている。この壁付用リモートコントローラは自身が備える発光素子からの出射光による信号を被制御機器側の受信部に送信することができる。この壁付用リモートコントローラは、操作面が設けられた前面部が上方向に壁面に近づくように傾斜しており、操作面に発光素子からの出射光が透過する透過窓が設けられている。発光素子からの出射光は、透過窓を経由し天井で反射して、被制御機器側の受信部に到達する。
【先行技術文献】
【特許文献】
【０００３】
【特許文献１】特開２０１７−７９３８１号公報
【発明の概要】
【発明が解決しようとする課題】
【０００４】
しかし、この壁付用リモートコントローラは、操作面が設けられた前面部が上方向に壁面に近づくように傾斜しており、取付け部の下側が厚くなっている。このため、この壁付用リモートコントローラは、使用者から取付け部の下側が上側に比べて見え易くなる。これにより、この壁付用リモートコントローラは壁面から前面部が浮き上がって見える浮遊感を損なうおそれがあり、これにより意匠性が低下する可能性がある。
【０００５】
本発明は、上記従来の実情に鑑みてなされたものであって、意匠性が良好な壁付用リモートコントローラを提供することを解決すべき課題としている。
【課題を解決するための手段】
【０００６】
本発明の壁付用リモートコントローラは、
前面側に使用者が操作する操作面を有した前面部と、
前記前面部の後面側に連続して設けられ、壁面に取り付けられる取付け面を有した取付け部と、
を備え、
前記前面部の外周縁が前記取付け部の外周縁よりも外側に位置した壁付用リモートコントローラであって、
前記壁面に取り付けた状態で前記操作面に直交する任意の断面において、
前記前面部の後面の外周縁と前記取付け面の外周縁との前記壁面に沿った方向の距離が、前記前面部の後面の外周縁と前記取付け面の外周縁との前記壁面に直交する方向距離以上であることを特徴とする。
【０００７】
この壁付用リモートコントローラは、壁面に取り付けた状態で操作面に直交する任意の断面において、前面部の後面の外周縁と取付け面の外周縁との壁面に沿った方向の距離が、前面部の後面の外周縁と取付け面の外周縁との壁面に直交する方向の距離以上である。これにより、この壁付用リモートコントローラは取付け部の外周縁が使用者から視認し難くなる。このため、この壁付用リモートコントローラは、前面部の外周縁のみが使用者に視認され易くなるため、壁付用リモートコントローラが配置されている壁面から前面部が浮き上がって見える浮遊感を備えることができ、これにより意匠性を良好にすることができる。
【０００８】
したがって、本発明の壁付用リモートコントローラは意匠性を良好にすることができる。
【図面の簡単な説明】
【０００９】
【図１】実施例１の壁付用リモートコントローラの正面図である。
【図２】実施例１の壁付用リモートコントローラを左方から見た側面図である。
【図３】実施例１の壁付用リモートコントローラを下方から見た側面図である。
【図４】図１における矢示Ｊ−Ｊ断面図である。
【図５】図１における矢示Ｋ−Ｋ断面図である。
【図６】実施例１の壁付用リモートコントローラをトイレ室内の壁面に取り付けた状態を示す概略図である。
【図７】実施例１の壁付用リモートコントローラのケースを示す斜視図であって、（Ａ）は前方から見た状態を示し、（Ｂ）は後方から見た状態を示す。
【図８】実施例１の壁付用リモートコントローラのケースを後方から見た斜視図であって、一対の第１絶縁部材、一対の第２絶縁部材、一対の第３絶縁部材、及び円筒部材が取り付けられた状態を示す。
【図９】（Ａ）は図８における矢示Ａ−Ａ断面図であり、（Ｂ）は図８における矢示Ｂ−Ｂ断面図である。
【図１０】（Ａ）は一対の第１絶縁部材を示す斜視図であり、（Ｂ）は第２絶縁部材のナット挿入凹部にナットを挿入する状態を示す斜視図である。
【図１１】実施例１の壁付用リモートコントローラをトイレ室内の壁面に取り付けるためのホルダをトイレ室内の壁面の取付け孔に挿入して壁面に取り付けた状態を示す概略図である。
【図１２】実施例１の壁付用リモートコントローラを壁面に取り付ける際に用いるホルダを前方から見た斜視図である。
【図１３】実施例１の壁付用リモートコントローラをホルダに取り付ける様子を示し、各第１絶縁部材の各開口孔に設けられた絶縁部材側係止爪を、各側板部のそれぞれのホルダ側係止爪本体の直上に配置した状態を示し、（Ａ）は背面図であり、（Ｂ）は（Ａ）における矢示Ｃ−Ｃ断面図であり、（Ｃ）は（Ａ）における矢示Ｄ−Ｄ断面図である。
【図１４】実施例１の壁付用リモートコントローラをホルダに取り付ける様子を示す背面図であり、各第１絶縁部材の絶縁部材側係止爪と、各側板部のそれぞれのホルダ側係止爪本体とが互いに係止した状態を示す。
【図１５】（Ａ）は実施例２の壁付用リモートコントローラの正面図であり、（Ｂ）は（Ａ）における矢示Ｅ−Ｅ断面図であり、（Ｃ）は（Ａ）における矢示Ｆ−Ｆ断面図である。
【図１６】（Ａ）は実施例３の壁付用リモートコントローラの正面図であり、（Ｂ）は（Ａ）における矢示Ｇ−Ｇ断面図であり、（Ｃ）は（Ａ）における矢示Ｈ−Ｈ断面図である。
【発明を実施するための形態】
【００１０】
本発明における好ましい実施の形態を説明する。
【００１１】
本発明の壁付用リモートコントローラの取付け部は、壁面に取り付けた状態で操作面に直交する任意の断面において、前面部の後面の外周縁と取付け面の外周縁とを結んだ架空の直線より外側に食み出さなくてもよい。この場合、前面部と壁面との間において、使用者から取付け部が部分的に見えることを抑えることができ、意匠性をより良好にすることができる。
【００１２】
本発明の壁付用リモートコントローラは、壁面に取り付けた状態で操作面に直交する任意の断面において、前面部の壁面に直行する方向の厚み寸法が、取付け部の壁面に直行する方向の厚み寸法以下であり得る。この場合、この壁付用リモートコントローラは、壁付用リモートコントローラが配置された壁面からより前面部が浮き上がって見える浮遊感を備えることができる。
【００１３】
本発明の前面部の外周縁は、前面部の後面側から前面側に向けて外側に傾斜し得る。この場合、この壁付用リモートコントローラは、操作面の面積をより大きくすることができる。
【００１４】
次に、本発明の壁付用リモートコントローラを具体化した実施例１〜３について、図１〜１６を参照しつつ説明する。
【００１５】
＜実施例１＞
実施例１の壁付用リモートコントローラであるリモートコントローラ１０は、図１〜３に示すように、ほぼ平板状をなし四隅が弧状に形成された長方形状をなしている。リモートコントローラ１０はトイレ室の壁面Ｗに後述するホルダ５０を介して壁面Ｗに沿うように取り付けられる（図６参照。）。トイレ室には、図６に示すように、便器装置２と、便器装置２に付帯する電動装置３とが設置されている。
便器装置２は便器本体２Ａ、及び便座２Ｂ等を有している。電動装置３は、例えば、シャワーノズル３Ａや、便器洗浄装置（図示せず）等が設けられている。シャワーノズル３Ａは、便座２Ｂに着座した使用者の局部に向けて吐水するシャワー処理を実行することができる。便器洗浄装置は便器本体２Ａに洗浄水を供給して便器本体２Ａを洗浄することができる。リモートコントローラ１０は電動装置３を遠隔操作することができる。
【００１６】
リモートコントローラ１０は、図１〜３に示すように、ケース１１、及び操作面１２Ａを有した前面部１３である操作面部材１２を備えている。
ケース１１は例えばアルミニウム製である。ケース１１の外形は、図７（Ａ）、（Ｂ）に示すように、ほぼ平板状をなし四隅が弧状に形成された長方形状をなしている。
ケース１１の前側（図７（Ａ）における手前側であり、図７（Ｂ）における奥側である）には後方向（図７（Ａ）における奥へ向かう方向であり、図７（Ｂ）における手前へ向かう方向である）に窪んだ第１凹部１１Ａが形成されている。第１凹部１１Ａ内には電気基板等が収納される（図示せず。）。また、ケース１１の前側の外周縁には、ケース１１の外周縁から外側に離れる方向に前面部１３である鍔部１１Ｂが延びている。ここで、外側とはケース１１を前方、又は後方から見た場合において、ケース１１の中央部からケース１１の外周縁に向かう方向に、ケース１１の中央部から離れた側である。前方から見た鍔部１１Ｂの外形は四隅が弧状に形成された長方形状である。鍔部１１Ｂの外周縁は鍔部１１Ｂの後面側から前面側に向けて外側に傾斜している（図２〜５参照。）。また、鍔部１１Ｂが設けられていないケース１１の後側は取付け部１１Ｈである。取付け部１１Ｈの後面は壁面Ｗに取り付けられる取付け面１１Ｊである。つまり、取付け部１１Ｈは前面部１３の後面側に連続して設けられ、壁面Ｗに当接して取り付けられる取付け面１１Ｊを有している。
【００１７】
また、図７（Ｂ）に示すように、ケース１１の取付け面１１Ｊには、前方向に窪んだ第２凹部１１Ｃが形成されている。第２凹部１１Ｃと第１凹部１１Ａとは閉鎖部１１Ｄによって隔てられている。また、第２凹部１１Ｃの左右両端部（左右は、図７（Ａ）における左側右側であり、図７（Ｂ）における右側左側である）のそれぞれには、第２凹部１１Ｃより前方向に窪んだ一対の第１絶縁部材取付け凹部１１Ｅが形成されている。各第１絶縁部材取付け凹部１１Ｅのそれぞれには３つのねじ穴１１Ｆが前方向に窪んで形成されている。３つのねじ穴１１Ｆの内の１つは、第１絶縁部材取付け凹部１１Ｅの上下中央部（上下は、図７（Ａ）、（Ｂ）における上側下側である）であって、取付け部１１Ｈの左右の外周縁に沿った第１絶縁部材取付け凹部１１Ｅの辺の近傍に形成されている。残りの２つのねじ穴１１Ｆは、取付け部１１Ｈの左右の外周縁に沿った第１絶縁部材取付け凹部１１Ｅの辺に対向する辺の上下両端部の近傍に形成されている。
【００１８】
また、ケース１１の後側には第３凹部１１Ｇが形成されている。第３凹部１１Ｇは、取付け部１１Ｈの下側の外周縁から上方向に窪んで形成されている。また、第３凹部１１Ｇの左右両端部には、第３凹部１１Ｇよりもさらに上方向に窪んだ一対の第２絶縁部材取付け凹部１１Ｋが形成されている。各第２絶縁部材取付け凹部１１Ｋの左右両側には、鍔部１１Ｂの後面より後方向に突出した一対のケース側当接部１１Ｌが設けられている。また、各ケース側当接部１１Ｌのそれぞれにはねじ穴１１Ｍが前方向に窪んで形成されている。
【００１９】
ケース１１の閉鎖部１１Ｄの中央部には閉鎖部１１Ｄの厚み方向に貫通して第１貫通孔１１Ｎが形成されている。また、第１貫通孔１１Ｎの外周縁には円環状をなして後方向に突出した円環部１１Ｐが設けられている。円環部１１Ｐには、ほぼ円筒状をなし一方の端が鍔状に形成されたゴム製の筒部材３３が挿通されている（図８参照。）。筒部材３３には第１凹部１１Ａ内の電気基板から延びる複数の電線を束ねたハーネス等が挿通されて引き出される（図示せず。）。また、取付け面１１Ｊの上側の外周縁の左側の近傍には、ケース１１の厚み方向に貫通して第２貫通孔１１Ｑが形成されている。第２貫通孔１１Ｑには第１凹部１１Ａ内の電気基板から延びるフレキシブル配線板やハーネス等が引き出される（図示せず。）。
【００２０】
ケース１１の後側には、図８に示すように、一対の第１絶縁部材３０、一対の第２絶縁部材３１、及び一対の第３絶縁部材３２が取り付けられている。これら、第１絶縁部材３０、第２絶縁部材３１、及び第３絶縁部材３２は例えば合成樹脂製であり、後述するホルダ５０とケース１１とを互いに絶縁するためのものである。
【００２１】
一対の第１絶縁部材３０は、図８、１０（Ａ）に示すように、互いに面対称であるため、ケース１１の右側（図８、１０（Ａ）における左側である）に配置される第１絶縁部材３０の形状を説明し、ケース１１の左側（図８、１０（Ａ）における右側である）に配置される第１絶縁部材３０の形状の説明は省略する。
第１絶縁部材３０はほぼ平板状をなし四隅が弧状に形成された長方形状をなしている。第１絶縁部材３０は、２つの開口孔３０Ａ、２つの絶縁部材側係止爪３０Ｂ、絶縁部材側突当て部３０Ｃ、及び３つのねじ挿通孔３０Ｄを具備している。
２つの開口孔３０Ａは第１絶縁部材３０の厚み方向に貫通して形成されている。各開口孔３０Ａは、上下方向に延びており、互いに上下に一列に並んでいる。２つの絶縁部材側係止爪３０Ｂは右側の長辺と上側の短辺とに連続し、左側の長辺と下側の短辺とに向けて突出するように設けられている。
絶縁部材側突当て部３０Ｃは第１絶縁部材３０の後面（図８、１０（Ａ）における手前側の面である）の一部が前方向（図８、１０（Ａ）における奥へ向かう方向である）に窪んで形成されている。絶縁部材側突当て部３０Ｃは、一対の開口孔３０Ａの左側の長辺と第１絶縁部材３０左側の長辺との間に形成されている。
３つのねじ挿通孔３０Ｄは第１絶縁部材３０の厚み方向に貫通して形成されている。３つのねじ挿通孔３０Ｄの内の１つは、第１絶縁部材３０の上下中央部であって、一対の開口孔３０Ａの右側の長辺と第１絶縁部材３０の右側の長辺との間に形成されている。残りの２つのねじ挿通孔３０Ｄは、一対の開口孔３０Ａの左側の長辺と第１絶縁部材３０の左側の長辺との間の上下両端部に形成されている。
【００２２】
一対の第１絶縁部材３０は、図８に示すように、絶縁部材側突当て部３０Ｃの後面を後側に向けて、開口孔３０Ａに対して絶縁部材側係止爪３０Ｂが上側に来るようにし、それぞれの絶縁部材側突当て部３０Ｃが互いに近くなる方向にして、ケース１１の各第１絶縁部材取付け凹部１１Ｅに嵌め込まれている。一対の第１絶縁部材３０の各ねじ挿通孔３０Ｄには、ねじ７０が挿通され、ねじ７０をケース１１の第１絶縁部材取付け凹部１１Ｅの各ねじ穴１１Ｆに締め込むことによってねじ留めされる。各第１絶縁部材３０のそれぞれの絶縁部材側突当て部３０Ｃの後面は、図９（Ａ）に示すように、第２凹部１１Ｃの底面（閉鎖部１１Ｄの後面）より後方（図９（Ａ）における上方）に僅かに突出している。また、各第１絶縁部材３０は取付け面１１Ｊより後方に突出していない。
【００２３】
一対の第２絶縁部材３１は互いに同一の形状である。第２絶縁部材３１は、図１０（Ｂ）に示すように、係止部本体３１Ａ、一対のフランジ部３１Ｂ、及び一対の底面部３１Ｃを具備している。係止部本体３１Ａは、ほぼ半円筒状をなして一方向に延びており、一方向に延びた一方の端が閉鎖されている。また、係止部本体３１Ａにはナット挿入凹部３１Ｄが形成されている。ナット挿入凹部３１Ｄには、外形が六角形状をなしたナット３１Ｅが挿入される。ナット挿入凹部３１Ｄは、ナット３１Ｅの六角形状をなす面の内の連続する四つの面と、ナット３１Ｅのねじ孔３１Ｆの中心軸に直交する２つの面とに沿う面で形成されている。ナット３１Ｅは、ナット挿入凹部３１Ｄを構成する各面に対応するナット３１Ｅの各面が当接するため、ナット３１Ｅがナット挿入凹部３１Ｄに対して動くことがない。
一対のフランジ部３１Ｂは、係止部本体３１Ａが延びた方向に平行に拡がり、係止部本体３１Ａを挟んで互いに反対方向に延びている。各フランジ部３１Ｂには厚み方向に貫通してねじ挿通孔３１Ｇが形成されている。
一対の底面部３１Ｃは、係止部本体３１Ａが延びた方向に直交する方向に拡がり、係止部本体３１Ａを挟んで互いに反対方向に延びている。各底面部３１Ｃは各フランジ部３１Ｂに直角に連続している。
【００２４】
各第２絶縁部材３１は、図８に示すように、係止部本体３１Ａの閉鎖された一方の端を上側にして、係止部本体３１Ａを第２絶縁部材取付け凹部１１Ｋの一対のケース側当接部１１Ｌの間に挿入させ、一対の第２絶縁部材取付け凹部１１Ｋに嵌め込まれている。各第２絶縁部材３１の各ねじ挿通孔３１Ｇには、ねじ７１が挿通され、ねじ７１を第２絶縁部材取付け凹部１１Ｋの各ねじ穴１１Ｍに締め込むことによってねじ留めされる。各第２絶縁部材３１の各フランジ部３１Ｂは、図９（Ｂ）に示すように、第２凹部１１Ｃの底面より後方（図９（Ｂ）における右方）に僅かに突出している。また、各第２絶縁部材３１の各底面部３１Ｃは第３凹部１１Ｇよりも下方に僅かに突出している。
【００２５】
一対の第３絶縁部材３２は、図８に示すように、平板状をなし、四隅が弧状に形成された長方形状である。各第３絶縁部材３２は、互いを所定の寸法離隔し、ケース１１の第２凹部１１Ｃの上端に自身の一方の短辺を沿わせ、第２凹部１１Ｃの底面に貼着されている。各第３絶縁部材３２の第２凹部１１Ｃの底面より後方に突出する寸法は、図９（Ｂ）に示すように、各第２絶縁部材３１の各フランジ部３１Ｂが第２凹部１１Ｃの底面より後方に突出する寸法とほぼ同じである。
【００２６】
操作面部材１２は、例えば合成樹脂製である。操作面部材１２は、図１に示すように、平板状をなしている。操作面部材１２の表面（前側の面）は操作面１２Ａである。操作面１２Ａには便器装置２を遠隔操作する際に使用者が操作する複数の操作部１２Ｂが設けられている。つまり、操作面１２Ａは使用者が操作する。操作面部材１２は外形が鍔部１１Ｂの外形より僅かに小さい長方形状である。操作面部材１２は、ケース１１の第１凹部１１Ａを覆うように、裏面（後側の面）が鍔部１１Ｂの前側の面に貼着されている。こうして形成されたリモートコントローラ１０において、前面部１３である鍔部１１Ｂ及び操作面部材１２が設けられていない部分、すなわち、ケース１１の後側が取付け部１１Ｈである。また、取付け部の後端面は取付け面１１Ｊである。リモートコントローラ１０は前面部１３の外周縁が取付け部１１Ｈの外周縁よりも外側に位置している（図１〜５参照。）。すなわち、リモートコントローラ１０は全周にわたって前面部１３の外周縁が取付け部１１Ｈの外周縁よりも外側に位置している。
【００２７】
次に、リモートコントローラ１０を壁面Ｗに取り付けるために用いるホルダ５０について説明する。
【００２８】
ホルダ５０は、図１１に示すように、便座２Ｂに着座した使用者から見て側方（ここでは使用者から見て右側）の壁面Ｗに設けられた取付け孔Ｈに嵌め込まれて壁面Ｗに固定される。ホルダ５０は便座２Ｂに着座した使用者の手が届く範囲に設置される。ホルダ５０は例えばステンレス鋼板に折り曲げ加工を施すなどして形成されている。
【００２９】
ホルダ５０は、図１２に示すように、平面部５０Ａ、上板部５０Ｃ、下板部５０Ｄ、及び一対の側板部５０Ｅを具備している。
【００３０】
平面部５０Ａは平板状をなしたほぼ長方形状である。平面部５０Ａの中央部には、平面部５０Ａの長手方向に並んで、平面部５０Ａの厚み方向に貫通した２つの第３貫通孔５０Ｆが形成されている。また、平面部５０Ａには６つのねじ挿通孔５０Ｇが厚み方向に貫通して設けられている。これらねじ挿通孔５０Ｇは、平面部５０Ａの上側の長辺の左右両端部の近傍、上側の長辺の中央部の近傍、下側の長辺の左右両端部の近傍、及び下側の長辺の中央部の近傍に配置されている。
【００３１】
上板部５０Ｃは第１立上がり部５０Ｈ、及び第１当接部５０Ｊを具備している。第１立上がり部５０Ｈは、平面部５０Ａに対して直交する方向であって、平面部５０Ａの上側の長辺に連続しており、前方向（図１２における奥側から手前側に向かう方向）に延びている。第１当接部５０Ｊは、第１立上がり部５０Ｈの先端に連続しており、平面部５０Ａに平行に上方向に延びている。
【００３２】
下板部５０Ｄは、第２立上がり部５０Ｋ、第２当接部５０Ｌ、及び第３当接部５０Ｍを具備している。第２立上がり部５０Ｋは、平面部５０Ａに対して直交する方向であって、平面部５０Ａの下側の長辺に連続しており、前方向に延びている。
第２当接部５０Ｌは、第２立上がり部５０Ｋの先端に連続しており、平面部５０Ａに平行に下方向に延びている。
第３当接部５０Ｍは、第２当接部５０Ｌの先端に連続しており、平面部５０Ａに対して直交する方向であって、前方向に延びている。
また、下板部５０Ｄの左右両端部のそれぞれには、板厚方向に貫通して、ほぼ方形の角孔５０Ｎが１つずつ形成されている。また、第３当接部５０Ｍには各角孔５０Ｎに隣り合う位置に板厚方向に貫通してねじ挿通孔５０Ｑが形成されている。
【００３３】
一対の側板部５０Ｅは互いに面対称であるため、左側（図１２における左側である）の側板部５０Ｅの形状を説明し、右側（図１２における右側である）の側板部５０Ｅの形状の説明は省略する。側板部５０Ｅは第３立上がり部５０Ｒ、第４当接部５０Ｓ、及び一対のホルダ側係止爪５０Ｔを具備している。第３立上がり部５０Ｒは、平面部５０Ａの左側の短辺に連続しており、平面部５０Ａに対して直交する方向であって、前方向に延びている。
第４当接部５０Ｓは、第３立上がり部５０Ｒの先端に連続しており、平面部５０Ａに平行に左方向に延びている。
【００３４】
一対のホルダ側係止爪５０Ｔは第４当接部５０Ｓの先端の上下両端部に設けられている。各ホルダ側係止爪５０Ｔは基部５０Ｕ、及びホルダ側係止爪本体５０Ｖを具備している。基部５０Ｕは、第４当接部５０Ｓの先端に連続しており、平面部５０Ａに対して直交する方向であって、前方向に延びている。ホルダ側係止爪本体５０Ｖは、基部５０Ｕの先端に連続しており、平面部５０Ａに平行に左方向に延びている。こうしてホルダ５０は形成される。
【００３５】
ホルダ５０は、図１１に示すように、平面部５０Ａに対して上板部５０Ｃを上側にし、下板部５０Ｄを下側にして、平面部５０Ａ、第１立上がり部５０Ｈ、第２立上がり部５０Ｋ、及び一対の第３立上がり部５０Ｒを壁面Ｗに形成された取付け孔Ｈに挿入し、第１当接部５０Ｊ、第２当接部５０Ｌ、及び一対の第４当接部５０Ｓの後面を壁面Ｗに当接させている。そして、平面部５０Ａのねじ挿通孔５０Ｇにねじ７２を挿通し、ねじ７２を壁面Ｗの裏面側に配置されたブラケット（図示せず）に形成されたねじ穴に締め込む。これにより、壁面Ｗを第１当接部５０Ｊ、第２当接部５０Ｌ、及び一対の第４当接部５０Ｓとブラケットとで把持することによって、ホルダ５０は壁面Ｗに固定される。
【００３６】
次に、リモートコントローラ１０を壁面Ｗに固定されたホルダ５０に取り付ける手順について説明する。
先ず、図１３（Ａ）に示すように、リモートコントローラ１０の各第２絶縁部材３１を下側にし、取付け面１１Ｊを壁面Ｗに当接させる。なお、図１３（Ａ）は、壁面Ｗを省略し、壁面Ｗ側からリモートコントローラ１０の取付け面１１Ｊを正面に見た様子を示している。このとき、各第１絶縁部材３０の各開口孔３０Ａの絶縁部材側係止爪３０Ｂを、各側板部５０Ｅのそれぞれのホルダ側係止爪本体５０Ｖの直上に配置する。そして、図１３（Ｂ）に示すように、第４当接部５０Ｓの前面（図１３（Ｂ）における下側の面）を第１絶縁部材３０の絶縁部材側突当て部３０Ｃの後面（図１３（Ｂ）における上側の面）に当接させる。このとき、図１３（Ｃ）に示すように、上板部５０Ｃの第１当接部５０Ｊの前面（図１３（Ｃ）における左側の面）が一対の第３絶縁部材３２の後面（図１３（Ｃ）における右側の面）に当接し、下板部５０Ｄの第２当接部５０Ｌが一対の第２絶縁部材３１のフランジ部３１Ｂの後面に当接した状態になる。
【００３７】
次に、リモートコントローラ１０の姿勢を保持しつつ下方向に移動させる。すると、図１４に示すように、各第１絶縁部材３０の絶縁部材側係止爪３０Ｂと、各側板部５０Ｅのそれぞれのホルダ側係止爪本体５０Ｖとが互いに係止した状態になる。そして、下板部５０Ｄの第３当接部５０Ｍの上面が第２絶縁部材３１の各底面部３１Ｃの下面に当接した状態になる。また、このとき、下板部５０Ｄの各角孔５０Ｎに第２絶縁部材３１の係止部本体３１Ａの一部が嵌った状態になる。そして、下板部５０Ｄの第３当接部５０Ｍのねじ挿通孔５０Ｑにねじ７２を挿通し、ねじ７２を第２絶縁部材３１のナット３１Ｅに締め込むことによって、リモートコントローラ１０をホルダ５０に固定して、壁面Ｗに取り付けることができる。なお、筒部材３３とホルダ５０の一方の第３貫通孔５０Ｆとが連通した状態になるため、筒部材３３を介して引き出されたハーネス等が壁面Ｗの裏側に配索することができる。こうして壁面Ｗに取り付けられたリモートコントローラ１０の操作面１２Ａは壁面Ｗと平行である。
【００３８】
リモートコントローラ１０とホルダ５０とは、第１絶縁部材３０、第２絶縁部材３１、及び第３絶縁部材３２を介して絶縁される。これにより、アルミニウム製のリモートコントローラ１０、又はステンレス鋼板製のホルダ５０が腐食する、所謂電食の発生を抑えることができる。
また、電食の発生を抑えるためにリモートコントローラ１０、又はホルダ５０を合成樹脂製にする必要がないため、リモートコントローラ１０を金属製としてリモートコントローラ１０に高級感を付与し、且つホルダ５０を金属製としてホルダ５０を薄肉にしつつ小型化することによって、リモートコントローラ１０の意匠の自由度を増すことができる。
【００３９】
壁面Ｗに取り付けられたリモートコントローラ１０は、図４、５に示すように、壁面Ｗに取り付けた状態で操作面１２Ａに直交する任意の断面において、前面部１３の後面の外周縁と取付け面１１Ｊの外周縁との壁面Ｗに沿った方向の距離Ｘ１が、前面部１３の後面の外周縁と取付け面１１Ｊの外周縁との壁面Ｗに直交する方向の距離Ｙ１以上である。なお、図４、５において、内部構造の図示は省略している。すなわち、リモートコントローラ１０は、全周にわたって前面部１３の後面の外周縁と取付け面１１Ｊの外周縁との壁面Ｗに沿った方向の距離Ｘ１が、前面部１３の後面の外周縁と取付け面１１Ｊの外周縁との壁面Ｗに直交する方向の距離Ｙ１以上である。
【００４０】
また、壁面Ｗに取り付けられた状態のリモートコントローラ１０は、操作面１２Ａに直交する任意の断面において、前面部１３の壁面Ｗに直行する方向の厚み寸法Ａ１が、取付け部１１Ｈの壁面Ｗに直行する方向の厚み寸法Ｂ１以下である。このため、リモートコントローラ１０は、リモートコントローラ１０が配置されている壁面Ｗから、より前面部１３が浮き上がって見える浮遊感を備えることができる。さらに、距離Ｘ１が距離Ｙ１以上であるため、壁面Ｗに形成される前面部１３の外周縁部の影が使用者から視認し易くなり、壁面Ｗから前面部１３が浮き上がって見える浮遊感が増して見える。
【００４１】
また、リモートコントローラ１０の取付け部１１Ｈは、壁面Ｗに取り付けた状態で操作面１２Ａに直交する任意の断面において、前面部１３の後面の外周縁と取付け面１１Ｊの外周縁とを結んだ架空の直線Ｓ１より外側に食み出していない。このため、前面部１３と壁面Ｗとの間において、使用者から取付け部１１Ｈが部分的に見えることを抑えることができ、意匠性をより良好にすることができる。
【００４２】
また、図２〜５に示すように、鍔部１１Ｂの外周縁は鍔部１１Ｂの後面側から前面側に向けて外側に傾斜している。このため、リモートコントローラ１０が壁面Ｗに取り付けられた状態において、鍔部１１Ｂの上方から鍔部１１Ｂに下降する埃やごみは、鍔部１１Ｂの傾斜によって取付け部１１Ｈの上側に集まり易くなる。さらに、取付け部１１Ｈの上側に集まった埃やごみは、鍔部１１Ｂによって、取付け部１１Ｈの上側から前方に広がり難くなる。
【００４３】
このように、リモートコントローラ１０は、壁面Ｗに取り付けた状態で操作面１２Ａに直交する任意の断面において、前面部１３の後面の外周縁と取付け面１１Ｊの外周縁との壁面Ｗに沿った方向の距離Ｘ１が、前面部１３の後面の外周縁と取付け面１１Ｊの外周縁との壁面Ｗに直交する方向の距離Ｙ１以上である。これにより、リモートコントローラ１０は取付け部１１Ｈの外周縁が使用者から視認し難くなる。このため、リモートコントローラ１０は、前面部１３の外周縁のみが使用者に視認され易くなるため、リモートコントローラ１０が配置されている壁面Ｗから前面部１３が浮き上がって見える浮遊感を備えることができ、これにより意匠性を良好にすることができる。
【００４４】
したがって、本発明のリモートコントローラ１０は意匠性を良好にすることができる。
【００４５】
また、前面部１３の外周縁は、前面部１３の後面側から前面側に向けて外側に傾斜している。このため、リモートコントローラ１０は操作面１２Ａの面積をより大きくすることができる。
【００４６】
＜実施例２＞
実施例２の壁付用リモートコントローラであるリモートコントローラ１１０は、図１５（Ａ）〜（Ｃ）に示すように、取付け部１１１Ｈの外周縁の形状等が実施例１と相違する。他の構成は実施例１と同一であり、同一の構成は同一の符号を付し、詳細な説明を省略する。なお、図１５（Ｂ）、（Ｃ）において、内部構造の図示は省略する。
【００４７】
取付け部１１１Ｈの外周縁は、前面部１１３の後端の外周縁から壁面Ｗに当接した取付け面１１１Ｊの外周縁に向けて内側に傾斜している。ここで、内側とはケース１１１を前方、又は後方から見た場合において、ケース１１１の外周縁からケース１１１の中央部に向かう方向に、ケース１１１の中央部に近い側である。
【００４８】
壁面Ｗに取り付けられたリモートコントローラ１１０は、図１５（Ｂ）、（Ｃ）に示すように、壁面Ｗに取り付けた状態で操作面１２Ａに直交する任意の断面において、前面部１１３の後端の外周縁と取付け面１１１Ｊの外周縁との壁面Ｗに沿った方向の距離Ｘ２が前面部１１３の後端の外周縁と取付け面１１１Ｊの外周縁との壁面Ｗに直交する方向の距離Ｙ２以上である。
【００４９】
また、壁面Ｗに取り付けられた状態のリモートコントローラ１１０は、操作面１２Ａに直交する任意の断面において、前面部１１３の壁面Ｗに直行する方向の厚み寸法Ａ２が、取付け部１１１Ｈの壁面Ｗに直行する方向の厚み寸法Ｂ２以下である。
【００５０】
また、リモートコントローラ１１０の取付け部１１０Ｈは、壁面Ｗに取り付けた状態で操作面１２Ａに直交する任意の断面において、前面部１１３の後端の外周縁と取付け面１１１Ｊの外周縁とを結んだ直線Ｓ２より外側に食み出していない。
【００５１】
このように、リモートコントローラ１１０は、壁面Ｗに取り付けた状態で操作面１２Ａに直交する任意の断面において、前面部１１３の後端の外周縁と取付け面１１１Ｊの外周縁との壁面Ｗに沿った方向の距離Ｘ２が、前面部１１３の後端の外周縁と取付け面１１１Ｊの外周縁との壁面Ｗに直交する方向の距離Ｙ２以上である。これにより、リモートコントローラ１１０は取付け部１１１Ｈの外周縁が使用者から視認し難くなる。このため、リモートコントローラ１１０は、前面部１１３の外周縁のみが使用者に視認され易くなるため、リモートコントローラ１１０が配置されている壁面Ｗから前面部１１３が浮き上がって見える浮遊感を備えることができ、これにより意匠性を良好にすることができる。
【００５２】
したがって、本発明のリモートコントローラ１１０も意匠性を良好にすることができる。
【００５３】
＜実施例３＞
実施例３の壁付用リモートコントローラであるリモートコントローラ２１０は、図１６（Ａ）〜（Ｃ）に示すように、取付け部２１１Ｈの外周縁の形状等が実施例１、２と相違する。他の構成は実施例１、２と同一であり、同一の構成は同一の符号を付し、詳細な説明を省略する。なお、図１６（Ｂ）、（Ｃ）において、内部構造の図示は省略する。
【００５４】
取付け部２１１Ｈは、第１取付け部２１１Ａ、及び第２取付け部２１１Ｂを有している。第１取付け部２１１Ａの外周縁は前面部２１３の外周縁の内側に位置している。また、第２取付け部２１１Ｂの外周縁は第１取付け部２１１Ａの外周縁の内側に位置している。第２取付け部２１１Ｂの後面は取付け面２１１Ｊである。
【００５５】
取付け部２１１Ｈの第１取付け部２１１Ａは、図１６（Ｂ）、（Ｃ）に示すように、壁面Ｗに取り付けた状態で操作面１２Ａに直交する任意の断面において、前面部２１３の後面の外周縁と取付け面２１１Ｊの外周縁とを結んだ架空の直線Ｓ３より外側に食み出していない。
【００５６】
また、壁面Ｗに取り付けられたリモートコントローラ２１０は壁面Ｗに取り付けた状態で操作面１２Ａに直交する任意の断面において、前面部２１３の後面の外周縁と第１取付け部２１１Ａの後面の外周縁との壁面Ｗに沿った方向の距離Ｘ３１が、前面部２１３の後面の外周縁と第１取付け部２１１Ａの後面の外周縁との壁面Ｗに直交する方向の距離Ｙ３１以上である。
そして、第１取付け部２１１Ａの後面の外周縁と第２取付け部２１１Ｂの取付け面２１１Ｊの外周縁との壁面Ｗに沿った方向の距離Ｘ３２が、第１取付け部２１１Ａの後面の外周縁と第２取付け部２１１Ｂの取付け面２１１Ｊの外周縁との壁面Ｗに直交する方向の距離Ｙ３２以上である。
また、Ｘ３１，Ｘ３２を足し合わせた距離Ｘ３はＹ３１，Ｙ３２を足し合わせた距離Ｙ３以上である。
【００５７】
また、壁面Ｗに取り付けられた状態のリモートコントローラ２１０は、操作面１２Ａに直交する任意の断面において、前面部２１３の壁面Ｗに直行する方向の厚み寸法Ａ３が、取付け部２１１Ｈの壁面Ｗに直行する方向の厚み寸法Ｂ３以下である。
【００５８】
このように、リモートコントローラ２１０は、壁面Ｗに取り付けた状態で操作面１２Ａに直交する任意の断面において、前面部２１３の後面の外周縁と取付け面２１１Ｊの外周縁との壁面Ｗに沿った方向の距離Ｘ３が、前面部２１３の後面の外周縁と取付け面２１１Ｊの外周縁との壁面Ｗに直交する方向の距離Ｙ３以上である。これにより、リモートコントローラ２１０は取付け部２１１Ｈの外周縁が使用者から視認し難くなる。このため、リモートコントローラ２１０は、前面部２１３の外周縁のみが使用者に視認され易くなるため、リモートコントローラ２１０が配置されている壁面Ｗから前面部２１３が浮き上がって見える浮遊感を備えることができ、これにより意匠性を良好にすることができる。
【００５９】
したがって、本発明のリモートコントローラ２１０も意匠性を良好にすることができる。
【００６０】
＜他の実施例＞
（１）実施例３では、取付け部の第１取付け部が、前面部の後面の外周縁と取付け面の外周縁とを結んだ架空の直線より外側に食み出していないが、取付け部の第１取付け部が、架空の直線より外側に食み出してもよい。
（２）実施例１〜３では、壁面に直交する方向の前面部の厚み寸法が、壁面に直交する方向の取付け部の厚み寸法以下であるであるが、壁面に直交する方向の前面部の厚み寸法が、壁面に直交する方向の取付け部の厚み寸法より大きくてもよい。
（３）実施例１〜３では、前面部の外周縁が前面部の後面側から前面側に向けて外側に傾斜しているが、傾斜していなくてもよい。また、前面部の外周縁の一部が前面部の後面から前面に向けて外側に傾斜していてもよい。
（４）実施例１では、ケースがアルミニウム製であり、ホルダがステンレス鋼板製であるが、ケース及びホルダのそれぞれを他の種類の金属で形成してもよい。
（５）実施例３では、取付け部が異なる２つの外周縁（第１取付け部、及び第２取付け部）を具備しているが、３つ以上の異なる外周縁を具備してもよい。
（６）実施例１〜３ではリモートコントローラを壁面に取り付けているが、リモートコントローラをトイレ室内の棚等に取り付けても良い。
【符号の説明】
【００６１】
１０，１１０，２１０…リモートコントローラ（壁付用リモートコントローラ）
１１Ｈ，１１１Ｈ，２１１Ｈ…取付け部
１１Ｊ，１１１Ｊ，２１１Ｊ…取付け面
１２Ａ…操作面
１３，１１３，２１３…前面部
Ｗ…壁面
【図１】
2019139958.tif 000003
【図２】
2019139958.tif 000004
【図３】
2019139958.tif 000005
【図４】
2019139958.tif 000006
【図５】
2019139958.tif 000007
【図６】
2019139958.tif 000008
【図７】
2019139958.tif 000009
【図８】
2019139958.tif 000010
【図９】
2019139958.tif 000011
【図１０】
2019139958.tif 000012
【図１１】
2019139958.tif 000013
【図１２】
2019139958.tif 000014
【図１３】
2019139958.tif 000015
【図１４】
2019139958.tif 000016
【図１５】
2019139958.tif 000017
【図１６】
2019139958.tif 000018